(57)【特許請求の範囲】
【請求項１】
枠体と、糸を織り込んだ網体と、樹脂成型により前記枠体と前記網体が接合されてなるフィルタにおいて、
前記糸は、糸径の大きい糸と糸径の小さい糸とからなり、前記枠体の内側端縁から前記フィルタの樹脂成型の際に押圧される所定範囲において、前記枠体と平行な前記糸には、糸径の大きい糸が用いられ、前記所定範囲外には、糸径の小さい糸が用いられてなることを特徴とするフィルタ。
【請求項２】
前記枠体内には、少なくとも一本のリブが設けられ、同リブの両側端縁から前記フィルタの樹脂成型の際に押圧される所定範囲において、前記リブと平行な糸には、前記糸径の大きい糸が用いられてなることを特徴とする請求項１に記載のフィルタ。
【請求項３】
請求項１または請求項２に記載のフィルタを備えたことを特徴とする空気調和機。
【発明の詳細な説明】
【技術分野】
【０００１】
本発明は、空気調和機に使用されるフィルタの構成に関するものである。
【背景技術】
【０００２】
空気調和機内に装着される従来のフィルタは、例えば図４（Ａ）に示すフィルタ４０のように、複数の縦リブ４１１を備え矩形状に形成された枠体４１と、同枠体４１内に張設された網体４２とからなっており、網体４２は、縦糸と横糸とを交互に織り込んで形成されている。
【０００３】
フィルタ４０は樹脂成型を行う金型によって成型され、所謂インサート成型によって金型内に網体４２をセットし、閉じた金型に流入した溶融樹脂が固化して枠体４１が形成される過程で網体４２は、上部枠４１ａ、下部枠４１ｂ、左側枠４１ｃ、右側枠４１ｄ及び複数の縦リブ４１１とからなる枠体４１に接合されるようになっている。
【０００４】
フィルタ４０を樹脂成型する金型５０は、例えば、図４（Ｂ）の断面図で示すように構成されている。金型５０は上下に分割された上型５０ａと下型５０ｂとから構成され、溶融樹脂流入孔５０ｅを備えた枠体成型部５０ｃと、網体４２を収納する収納部５０ｄと、網体４２を押圧しながら枠体成型部５０ｃと収納部５０ｄとの間を閉鎖して、収納部５０ｄへの溶融樹脂の流入を防ぐ網体押圧部５０ｆとを設けている。尚、図４（Ｂ）は、下型５０ｂに網体４２をセットし、上型５０ａを閉じて溶融樹脂流入孔５０ｅから溶融樹脂を流入させた状態のフィルタ４０の上下方向の断面図を示している。
【０００５】
網体４２は、上型５０ａと下型５０ｂが開いた状態で、両端部が枠体成型部５０ｃに位置されるように収納部５０ｄにセットされ、その後、上型５０ａと下型５０ｂが閉じられる。この際、網体押圧部５０ｆに挟持される網体４２の、図４（Ｂ）のＡで示す範囲は強い圧力を受けるようになっている。
【０００６】
高温の樹脂が、溶融樹脂流入孔５０ｅを介して枠体成型部５０ｃに流入し、冷却されて固化すると、上部枠４１ａと下部枠４１ｂとが形成されるとともに、これら上部枠４１ａと下部枠４１ｂが固化する過程で網体４２の両端部が上部枠４１ａと下部枠４１ｂとに接合されるようになっている。尚、左側枠４１ｃ、右側枠４１ｄ及び複数の縦リブ４１１でも同様の過程で、網体４２が接合されるようになっている。
【０００７】
しかしながら、樹脂成型の際、網体押圧部５０ｆに挟持される網体４２の部位は、強い圧力で押圧されることにより、網体４２を構成する縦糸あるいは横糸が潰されたり、損傷が発生する虞があり、これらが発生すると、網体４２に垂直な方向に掛かる押圧力に対する強度、あるいはフィルタ４０を空気調和機から抜き取る際に掛かる引張力に対して強度が低下してしまうという問題があり対策が望まれていた。
【先行技術文献】
【特許文献】
【０００８】
【特許文献１】特開２００８−１１６０８９号（４頁、図２）
【発明の概要】
【発明が解決しようとする課題】
【０００９】
本発明は、上記問題点に鑑み、樹脂成型の際、所謂インサート成型によって網体と枠体とを接合しても、網体押圧部に挟持される網体の部位において強度を維持することができるフィルタを提供することを目的とする。
【課題を解決するための手段】
【００１０】
本発明は、上記課題を解決するため、枠体と、糸を織り込んだ網体と、樹脂成型により前記枠体と前記網体が接合されてなるフィルタにおいて、前記糸は、糸径の大きい糸と糸径の小さい糸とからなり、前記枠体の内側端縁から前記フィルタの樹脂成型の際に押圧される所定範囲において、前記枠体と平行な前記糸には、糸径の大きい糸が用いられ、前記所定範囲外には、糸径の小さい糸が用いられてなる構成となっている。
【００１１】
また、前記枠体内には、少なくとも一本のリブが設けられ、同リブの両側端縁から所定範囲において、前記リブと平行な糸には、前記糸径の大きい糸が用いられてなる構成となっている。
【００１２】
また、上記したフィルタを備えた空気調和機となっている。
【発明の効果】
【００１３】
請求項１に記載の発明によれば、フィルタの樹脂成型の際、金型内で強い圧力で網体が挟み込まれる部位に、太い糸径で充分な強度を有する縦糸と横糸とを配置していることにより、圧力に起因する潰れや損傷が発生しても、フィルタは、押圧力や引張力に対して強度を維持することができるようになっている。
【００１４】
請求項２に記載の発明によれば、フィルタの枠体内に設けられるリブの両側端縁から所定範囲において、リブと平行な糸には、糸径の大きい糸が用いられることにより、リブを形成する金型の部位で、強い圧力で網体が挟み込まれても、フィルタの強度を維持することができるようになっている。
【００１５】
請求項３に記載の発明によれば、網体に垂直に掛かる押圧力や、上下方向に掛かる引張力に対して強度を維持することのできるフィルタを備えた空気調和機とすることができる。
【図面の簡単な説明】
【００１６】
【図１】本発明によるフィルタが備えられた空気調和機を示す断面図である。
【図２】本発明によるフィルタの外観斜視図である。
【図３】本発明によるフィルタの構成を示す説明図である。
【図４】従来のフィルタの斜視図及びフィルタの成型金型を示す断面図である。
【発明を実施するための形態】
【００１７】
以下、本発明の実施の形態を、添付図面に基づいた実施例として詳細に説明する。
【実施例１】
【００１８】
本発明によるフィルタを備えた空気調和機１は、図１の断面図で示すように、前面に前面吸込口２を設けるとともに、前面上部に上面吸込口３を設け、前面下部に吹出口４を設けている。また、同吹出口４の側方には、図示はしていないが、複数のＬＥＤ等からなる表示部と、リモートコントローラからの信号を受信する受信部が設けられ、また、吹出口４には回動自在に軸支された上下風向板９が設けられており、上下風向板９は運転停止時には、吹出口４を遮蔽するようになっている。
【００１９】
前面吸込口２及び上面吸込口３と吹出口４とを結ぶ通風路には、吸込まれた空気に含有される塵埃を除去する後述するフィルタ５と、平行に並べられたフィンと同フィンに直交するように配設された伝熱管とからなる前方下部熱交換器６ｂと前方上部熱交換器６ａと後方上部熱交換器６ｃとで構成された逆Ｖ字状の熱交換器６と、同熱交換器６で冷媒と熱交換された空気を前記吹出口４から室内に送出する送風ファン７とが設けられている。
【００２０】
また、前方下部熱交換器６ｂの下方には、同前方下部熱交換器６ｂと前方上部熱交換器６ａとから滴下する凝縮水を受ける前部露受皿１０が設けられ、後方上部熱交換器６ｃの下方には、同後方上部熱交換器６ｃから滴下する凝縮水を受ける後部露受皿１１が設けられている。また、送風ファン７と吹出口４とを結ぶ吹出通路には、送出される吹出風を左右方向に偏向させる複数の左右風向板８が設けられ、吹出口４には上記したように、回動自在に軸支された上下風向板９が設けられている。
【００２１】
フィルタ５は、図２（Ａ）に示すように、樹脂材からなり矩形状に形成された枠体５１と、同枠体５１内に張設される網体５２とからなっている。枠体５１は、２本の縦リブ５１１と、２本の横リブ５１２を格子状に備え、縦リブ５１１と横リブ５１２により網体５２は複数に区画されるようになっている。網体５２は、図２（Ｂ）に示すように、縦糸５２１及び横糸５２２とを交互に織り込んで形成されている。
【００２２】
フィルタ５の樹脂成型時、金型内に網体５２をセットし、閉じた金型に流入した溶融樹脂が固化することにより網体５２は、所謂、インサート成型によって、図２（Ａ）に示すように、枠体５１に接合されるようになっている。枠体５１は、例えばＰＰ（ポリプロピレン）からなる柔軟性を有する樹脂材から成型され、網体５２も、例えばＰＰ（ポリプロピレン）からなる糸から構成されている。
【００２３】
網体５２を構成する縦糸及び横糸は、例えば糸径が３０μｍから７０μｍ程度の縦糸５２１ｂ及び横糸５２２ｂで構成されているが、枠体５１の内側、縦リブ５１１及び横リブ５１２の両側から所定範囲に配置される縦糸及び横糸は、図３（Ａ）の要部拡大図で示すように形成されている。
【００２４】
すなわち、枠体５１の内側と、縦リブ５１１及び横リブ５１２の両側から所定範囲は、例えば、３〜５ｍｍの範囲で、枠体５１、縦リブ５１１及び横リブ５１２と平行な縦糸及び横糸には、例えば、糸径が１００μｍ程度の縦糸５２１ａと横糸５２２ａとが張設されている。
【００２５】
糸径が大きい縦糸５２１ａと、糸径が大きい横糸５２２ａとが配置された網体５２の所定範囲は、フィルタ５が樹脂成型される際、網体５２が強い押圧力で挟持される金型の網体押圧部に対応した位置となっている。
【００２６】
フィルタ５が樹脂成型される際、網体５２が強い圧力で押圧される金型の網体押圧部に対応して、糸径が大きく強度を有する縦糸５２１ａと、糸径が大きく強度を有する横糸５２２ａとを設けていることにより、これらに圧力に起因する潰れが発生しても、縦糸５２１ａと横糸５２２ｂは強度を維持することができるようになっている。これにより、樹脂成型で枠体５１と網体５２とを接合しても、フィルタ５は、網体５２に垂直な方向に掛かる押圧力に対する強度、あるいはフィルタ５を空気調和機から抜き取る際に掛かる引張力に対して強度を維持することができるようになっている。
【符号の説明】
【００２７】
１  空気調和機
２  前面吸込口
３  上面吸込口
４  吹出口
５  フィルタ
５１  枠体
５１１  縦リブ
５１２  横リブ
５２  網体
５２１、５２１ａ、５２１ｂ  縦糸
５２２、５２２ａ、５２２ｂ  横糸
６  熱交換器
６ａ  前方上部熱交換器
６ｂ  前方下部熱交換器
６ｃ  後方上部熱交換器
７  送風ファン
８  左右風向板
９  上下風向板
１０  前部露受皿
１１  後部露受皿
【図１】
0005640568.tif 000002
【図２】
0005640568.tif 000003
【図３】
0005640568.tif 000004
【図４】
0005640568.tif 000005